Podtech/llm-jp-corpus-v4-ja_patent huggingface dataset:
(57)【要約】【課題】照明器具の取り付け、ランプ取替え、メントランス、及び作業の危険性という。一連の動作を簡単な構成で可能にした。照明器具取付手動式昇降機装置を提供する。【解決手段】まず照明器具などを取り付けした、架台金具２６を、操作するため、安全ロック２２、を解除します。つぎに伸縮型操作棒２１、を使って操作金具１８、引くと落下防止フック２７が、解除され、器具取り付け架台金具２６が、ポールを伝って上下移動する。そのため作業位置が調整ボルト３０、の位置まで移動して、危険なく作業がスムーズにできる。作業後は、架台金具２６を、上部まで上げると落下防止フック２７が、ロックされます。最後に安全ロック２２、をセットする。【選択図】図３
2010251272.tif 000002
【特許請求の範囲】
【請求項１】
器具などを取り付ける架台金具を伸縮型操作棒で架台金具が上下移動する仕組み、
架台金具を移動するだけで脚立を使わなくて適当の位置で作業ができる仕組みである。
作業後は伸縮型操作棒で上部まで移動させると落下防止フックがかかる仕組みの、照明器具取付手動式昇降装置
【請求項２】
ポール内の調整重りと架台金具が連結ししており、架台金具が急な速度で稼動しないようになっている。
一定な速度であり安心して操作ができる。
またポールには強風などに耐用ができる横ぶれロック金具が付いている、またポール内にワイヤ、ケーブル、が納まる。
照明器具取付手動式昇降装置
【発明の詳細な説明】
【技術分野】
【０００１】照明器具、（防犯灯類）ランプ、取替え及びメンテナンス等が器具取り付け架台金具の上下移動で危険なく施工が簡素化できる。
【背景技術】
【０００２】従来の電柱は大部分が木製であった、その為脚立を立てランプ等を交換するには危険が伴っていいました（主に自治会長さんの仕事でした）
【発明開示】
【発明が解決しようとする課題】
【０００３】そのため木柱などはシロアリや台風などで劣化がひどく本発明は以上問題点を解決したものである。
【課題を解決するための手段】
【０００４】架台を上下移動するだけで作業ができる、照明器具取付手動式昇降装置である
【発明の効果】
【０００５】電線やワイヤー線がポールの中に納まり、外観もきれく安全で作業ができる。
【図面の簡単な説明】
【０００６】
【図１】ポールを上下移動する照明取り付け架台とポール正面図
【図２】照明取り付け架台を操作する伸縮操作棒
【図３】照明器具取り付け架台とポールの側面図
【発明を実施するための形能】
【０００７】以下、本発明の実施の形能について説明する。
伸縮操作棒２１で、操作金具１８を、引くと落下防止フック、２７が外れ下部に移動をし作業が終ると上部に移動をさせていくと安全ロックボルト２８に、ロックされる仕組み。
これで安全面の強化になる。
ベヤリングローラ１４は、器具取り付け架台２６に、装着していますので、そのため、鉄製電柱ポール５を、スムーズに移動が可能です。
【符号の説明】
【０００８】  １  先端キャプ              １８  操作金具
２  引留フック              １９  照明器具
３  引留碍子                ２０  ブレーカーボックス
４  電線入線カバー          ２１  伸縮操作棒
５  鉄製電柱ポール          ２２  安全ロック
６  ダブル固定滑車          ２３  調整重り
７  シングル振り滑車        ２４  ローラ軸
８  器具取り付けパイプ      ２５  貫通孔
９  ケーブル線              ２６  器具取り付け架台
１０  滑車カバー              ２７  落下防止フック
１１  ワイヤ                  ２８  安全ロックボルト
１２  横ぶれ板                ２９  ワイヤ止リングボルト
１３  引バネ                  ３０  作業位置調整ボルト
１４  ベヤリグローラ            Ａ  手動昇降棒
１５  ボルトナット
１６  押しバネ
１７  ストッパービス
【図１】
2010251272.tif 000003
【図２】
2010251272.tif 000004
【図３】
2010251272.tif 000005
(57)【要約】【課題】電源プレーン及びグラウンドプレーンが設けられ、電源プレーン及びグラウンドプレーンがコンデンサで接続されたプリント基板において、電源プレーンに共振が生じている際のコンデンサの適切な配置方法を得る。【解決手段】電源プレーン及びグラウンドプレーンが設けられたプリント基板における上記電源プレーンの共振抑制方法であって、電源プレーンの共振周波数におけるインピーダンスが極小値を示すコンデンサを電源プレーンの共振が発生している箇所の近傍点に設置して、電源プレーン及び上記グラウンドプレーンを接続する。また、コンデンサに抵抗を直列に接続する。【選択図】図１
2010251373.tif 000002
【特許請求の範囲】
【請求項１】
電源プレーン及びグランドプレーンを有する多層プリント基板における電源プレーンの共振抑制方法であって、以下の（Ａ）から（Ｃ）の手順に基づくことを特徴とするプリント基板の電源プレーン共振抑制方法。
（Ａ）上記電源プレーンの電圧強度分布及び共振周波数を求める。
（Ｂ）上記共振周波数においてインピーダンスが極小であるコンデンサ選択する。
（Ｃ）上記選択されたコンデンサを上記電源プレーンの電圧強度分布の高い箇所に設置し、上記電源プレーン及び上記グラウンドプレーンを上記コンデンサで接続する。
【請求項２】
前記コンデンサに、さらに抵抗を直列に接続することを特徴とする請求項１に記載の電源プレーンの共振抑制方法。
【発明の詳細な説明】
【技術分野】
【０００１】
この発明は、電源プレーン及びグラウンドプレーンが設けられたプリント基板の電源プレーン共振抑制方法に関する。詳しくは、電源プレーンの共振抑制としてのコンデンサ配置における適切な選択及び配置方法に関する。
【背景技術】
【０００２】
プリント基板では、搭載される半導体を動作させるために、電源プレーン及びこれに対向したグラウンドプレーンが設けられることが多い。
【０００３】
一方、近年、プリント基板の実装密度の増加に伴い、電位の異なる電源プレーンが複雑な形状で設計されることが多くなり、このような場合、電源プレーンは複雑な共振モードを持つようになる。電源雑音周波数と電源プレーン自身の共振周波数が一致した場合は放射ノイズとなる。
【先行技術文献】
【特許文献】
【０００４】
【特許文献１】特許第２９０７６６０号公報
【発明の概要】
【発明が解決しようとする課題】
【０００５】
プリント基板の電源プレーンの共振抑制として、数個から数十個のコンデンサを電源プレーンとグラウンドプレーンとの間に挿入することがある。しかし、前述のコンデンサの選択において、適切な容量を設定するには、設計者の経験や試行錯誤によるところが多く、設計作業上の負担となる。
【０００６】
そこで、この発明が解決しようとする課題は、プリント基板における電源プレーンの共振抑制方法であって、電源プレーンの共振抑制としてのコンデンサ配置における適切な選択及び配置方法を得ることにある。
【課題を解決するための手段】
【０００７】
前記課題解決のための第１の発明は、電源プレーン及びグランドプレーンを有する多層プリント基板における電源プレーンの共振抑制方法であって、以下の（Ａ）から（Ｃ）の手順に基づく電源プレーンの共振抑制方法である。
（Ａ）電源プレーンの電圧強度分布及び共振周波数を求める。
（Ｂ）共振周波数においてインピーダンスが極小であるコンデンサ選択する。
（Ｃ）選択されたコンデンサを上記電源プレーンの電圧分布強度の高い箇所に設置し、電源プレーン及びグラウンドプレーンを上記コンデンサで接続する。
【０００８】
また、第２の発明は、第１の発明において、コンデンサに、さらに抵抗を直列に接続することとした電源プレーンの共振抑制方法である。
【発明の効果】
【０００９】
第１の発明によれば、電源プレーン及びグランドプレーンを有するプリント基板における電源プレーン共振抑制方法において、（Ａ）から（Ｃ）の手順に基づくことにより、電源プレーン及びグランドプレーンが低インピーダンスのコンデンサにより接続されることとなり、電源プレーンに共振が発生する際に、共振により励起されたノイズ分が低インピーダンスのコンデンサを介してグラウンドプレーンに流れ、もって、共振が抑制されるという効果がある。また、第２の発明によれば、ノイズ分が抵抗により消費され、抑制効果がさらに増加する。
【発明を実施するための形態】
【００１０】
本発明を実施するにあたり、手順（Ａ）は、電源プレーンの電圧強度分布及び共振周波数を求めることである。具体的には、例えば、ＥＭＩ抑制設計を支援するためのツール「ＤＥＭＩＴＡＳＮＸ」（株式会社ＮＥＶ情報システムズ製、登録商標）を用い、設計したプリント基板の電源プレーンの電圧分布強度及び共振周波数を調べる。
【００１１】
手順（Ｂ）は、（Ａ）で調べた電源プレーンの共振周波数に対し、この共振周波数においてインピーダンスが極小であるコンデンサ選択することである。
【００１２】
例えば、手順（Ａ）にて、あるプリント基板の電源プレーンの共振周波数を調べたところ、共振周波数が２４０ＭＨｚであったとする。
【００１３】
ここで、図１は、選択すべきコンデンサのインピーダンス特性を示すグラフである。図に示す１μＦ、０．１μＦ、・・は、選択すべきコンデンサの容量であって、図は容量ごとのインピーダンスを示す。
【００１４】
図１を参照すると、２４０ＭＨｚ近傍で極小を示すのは１０００ｐＦであるので、ここでは１０００ｐＦのコンデンサを選択する。
【００１５】
手順（Ｃ）は、選択されたコンデンサを電源プレーンの電圧分布強度の高い箇所に設置し、電源プレーン及びグラウンドプレーンをコンデンサで接続することである。ここでは、手順（Ａ）で調べた電解分布強度において、その強度の高い箇所に手順（Ｂ）で選択した１０００ｐのコンデンサを設置し、電源プレーン及びグランドプレーンを接続する。さらに、コンデンサに、さらに抵抗値が１〜数Ω程度の抵抗を直列に接続するとよい。
【００１６】
そして、電源プレーン及びグランドプレーンの間にコンデンサを挿入した状態で、再度、上記ＤＥＭＩＴＡＳＮＸで電界強度分布及び共振周波数を調べ、共振が抑制されていることを確認するとよい。
【図面の簡単な説明】
【００１７】
【図１】コンデンサのインピーダンス特性を示すグラフ。
【図１】
2010251373.tif 000003
(57)【要約】【課題】基板上で接続されたマイコンとＲＯＭ、ＲＡＭのデータのやりとり及びＲＯＭ、ＲＡＭの内容を解析しづらくする。【解決手段】基板上で接続されたマイコンとＲＯＭ、ＲＡＭを接続するデータバスに、スイッチング素子１を配置したビット配列入替回路を設け、アドレスバスの一部と、ＲＡＭまたは電気的に書き換え可能なＲＯＭとして実現されるメモリ３の内容を用いて、組み合わせ回路であるビット配列入替スイッチ駆動回路２により各スイッチング素子１のオンオフを決定することにより、データバスのビット配列の入替を行う。【選択図】図１
2010251932.tif 000002
【特許請求の範囲】
【請求項１】
マイコンとＲＯＭおよびＲＡＭのデータバスの間にプリント基板上で接続する半導体回路であって、スイッチング素子とビット配列入替スイッチ駆動論理回路とメモリを持ち、スイッチング素子は１個以上のトランジスタからなり、双方向に電流を流せるような素子であり、ＲＡＭや電気的に書き換え可能なＲＯＭとして実現されるメモリに記憶された値とアドレスバスの一部から、組み合わせ回路であるビット配列入替駆動論理回路によりスイッチング素子のオンオフを決定し、ビット配列の入替を行うことを特徴とする半導体回路。
【請求項２】
ワンチップマイコンの外部データバスに内蔵される半導体回路であって、請求項１で述べたスイッチング素子、メモリ、ビット配列入替駆動論理回路をワンチップマイコンに内蔵し、データバスのビット配列の入替を行うことを特徴とする半導体回路。
【発明の詳細な説明】
【技術分野】
【０００１】
本発明は、半導体回路であるマイコンと、同じく半導体回路であるＲＯＭおよびＲＡＭを、プリント基板上で接続する半導体回路に関する。
【背景技術】
【０００２】
マイコンとＲＯＭおよびＲＡＭをプリント基板上で接続するには、アドレスバス、データバス、チップセレクト、リードストローブ、ライトストローブ、その他の制御信号を接続する必要がある。
【０００３】
マイコンとＲＯＭおよびＲＡＭを接続するアドレスバス、データバスの信号の並びは、プリント基板を作った時点で固定されてしまう。このことにより、マイコンとＲＯＭおよびＲＡＭをプリント基板に搭載した装置では、ＲＯＭを取り外してプログラムやデータなどの内容を読み出したり、当該装置の動作中にアドレスバスやデータバスなどをロジックアナライザなどの装置を用いて、当該装置の挙動などを解析されやすくなってしまう。
【０００４】
プログラムやデータを解析されることで、当該装置の模造品をより精巧に作られたり、競合他社により、さらに優れた製品を、より短期間に開発されてしまうという問題がある。
【０００５】
この改善策として、マイコン、ＲＯＭ、ＲＡＭを同一半導体回路上に作り込んだ、ワンチップマイコンと呼ばれる製品を用いる方法がある。この方法では、マイコンのアーキテクチャやＲＯＭ、ＲＡＭの容量、そしてこれらの組み合わせが限定されてしまい、マイコン、ＲＯＭ、ＲＡＭを用いた装置の設計において、部品選択の自由度が低下する。また、ワンチップマイコンから、プリント基板上で接続されたＲＯＭやＲＡＭへ外部データバスによりアクセスを行う場合は、当該アクセスの解析を防ぐ手段はない。
【先行技術文献】
【非特許文献】
【０００６】
【非特許文献１】「Ｈ８／３０６９Ｒ  Ｆ−ＺＴＡＴハードウェアマニュアル」  ルネサステクノロジ  ２００４年
【非特許文献２】「最新７４シリーズＩＣ規格表」  ＣＱ出版社  １９９３年
【非特許文献３】アルテラ、ザイリンクス他のＦＰＧＡ、ＣＰＬＤ製品のデータシート類
【発明の概要】
【発明が解決しようとする課題】
【０００７】
解決しようとする課題は、プリント基板上で接続されたマイコン、ＲＯＭ、ＲＡＭ間を流れるデータバス上のデータを、解析しづらくすることである。
【課題を解決するための手段】
【０００８】
本発明は、データバスのビット配列を、アドレスバスの一部や制御信号および本発明の半導体回路のメモリに記録されたデータの組み合わせに応じて、入れ替えることを最も主要な特徴とする。
【発明の効果】
【０００９】
本発明の半導体回路は、アドレスバスの一部や当該半導体回路のメモリに記録されたデータの組み合わせに応じて、データバスのビット配列を入れ替えるため、ビット配列入れ替えの規則性を分析しづらく、測定器による信号の観測だけではマイコンとＲＯＭおよびＲＡＭ間の通信内容やＲＯＭおよびＲＡＭの記憶内容を解読することが難しいという利点がある。
【図面の簡単な説明】
【００１０】
【図１】図１はビット配列入れ替え半導体回路の実施方法を示した説明図である。（実施例１）
【図２】図２はワンチップマイコンに内蔵したビット配列入れ替え半導体回路の実施方法を示した説明図である。（実施例２）
【発明を実施するための形態】
【００１１】
データバスのビット配列を入れ替えるという目的を、半導体回路の構成として実現した。
【実施例１】
【００１２】
図１は本発明を４ビットの入出力バッファ回路として例示したものである。ビットＤ１とＤ３、Ｄ０とＤ２がペアになっており、アドレス、メモリ３からの信号を入力として、ビット配列入替スイッチ駆動論理回路２にて演算を行い、スイッチング素子１をオンオフすることにより、ビット配列の入れ替えを行う。
【００１３】
スイッチング素子１は１個以上のトランジスタを用いて構成されるが、信号の流れは双方向で可能でなければならない。スイッチング素子１の構成は本発明の主体ではないので省略する。
【００１４】
ビット配列入替スイッチ駆動論理回路２は、組み合わせ回路として構成する。
【００１５】
メモリ３は不揮発性でかつ書き換え可能なものを用いる。実施例１では、クロック同期シリアルインターフェイスにより書き換えを行うことを想定したが、書き換え手段はこれに限定されるものではない。
【００１６】
このような半導体回路をデータバスに外付けすることで、ＲＯＭおよびＲＡＭと当該半導体回路間には、ビット配列が入れ替わったデータが流れることになるので、動作の解析が困難になる。また、ＲＯＭやＲＡＭにもビット配列が入れ替わったデータが記録されるため、ビット配列入れ替えの規則性を見破られない限り、データの解析や変造もまた困難である。
【実施例２】
【００１７】
図２の実施例は、ワンチップマイコンの外部データバスに本発明のビット配列入れ替え回路を内蔵したものである。このことにより、部品が搭載された基板を一見しただけでは、ビット配列入れ替え半導体回路が搭載されているかどうかを判断できないため、外部データバスやＲＯＭ、ＲＡＭの解析はさらに困難になる。
【産業上の利用可能性】
【００１８】
マイコンとＲＯＭおよびＲＡＭをプリント基板上で接続するような装置において、第三者によるデータの解析を妨げることができるので、プログラムやデータの解析、改ざんを嫌う当該装置そのものや応用分野に役立つ。
【符号の説明】
【００１９】
１    スイッチング素子
２    ビット配列入替スイッチ駆動論理回路
３    メモリ
【図１】
2010251932.tif 000003
【図２】
2010251932.tif 000004
(57)【要約】【課題】本発明は、ＬＥＤ照明灯の管内に特に支持材、支持ピンなど配置しなくとも一定の強度が保て、しかも各ＬＥＤの照明に邪魔になることもないＬＥＤ照明灯の管構造を提供することである。【解決手段】本発明は、長尺基板にＬＥＤを複数個配置し、このＬＥＤ基板を内部に収納し、前記ＬＥＤを必要に応じて点灯するＬＥＤ照明灯において、当該照明灯に用いる管の断面構造を外周が円形で、内部のＬＥＤが対応しない側の前記管の肉厚を他より肉厚に構成してなることを特徴とするＬＥＤ照明灯の管構造。【選択図】図１
2010251083.tif 000002
【特許請求の範囲】
【請求項１】
長尺基板にＬＥＤを複数個配置し、このＬＥＤ基板を内部に収納し、前記ＬＥＤを必要に応じて点灯するＬＥＤ照明灯において、当該照明灯に用いる管の断面構造を外周が円形で、内部のＬＥＤが対応しない側の前記管の肉厚を他より肉厚に構成してなることを特徴とするＬＥＤ照明灯の管構造。
【発明の詳細な説明】
【技術分野】
【０００１】
本発明は、管の内部にＬＥＤを多数する搭載した基板を収納し、両端に口金を配して、従来の蛍光灯のソケットに結合し、ＬＥＤ照明の点灯を行うＬＥＤ照明灯の管構造に関する。
【背景技術】
【０００２】
従来のＬＥＤ照明装置はポリカーボネイト等の素材を管状に形成して、この内部にＬＥＤを多数配して、之を点灯して蛍光灯に代る照明器具としてその省エネ故に普及が急がれている。この場合、内部のＬＥＤを搭載した基板に更に電子部品を搭載するとその重みで長尺な管が途中で曲がったりし、照明灯具として好ましいものでなかった。
【０００３】
特許文献１にはＬＥＤを搭載した基板を配する為に重くなり、管が途中で撓まないように管内に支持ピン、支持材などを工夫して配置することで長い管がたるまないように配慮している。しかし、このような支持材は管に内部に配置するのでその他の部品、基板が配置に制約を受け好ましい手段ではない。
【特許文献１】特開２００２−１４１５５５号公報
【発明の開示】
【発明が解決しようとする課題】
【０００４】
本発明が解決しようとする問題点は、ＬＥＤ照明灯の管内に特に支持材、支持ピンなど配置しなくとも一定の強度が保て、しかも従来の蛍光灯の管と同じ形状であるから取り付けた時の形状による違和感が無く、そのうえ各ＬＥＤの照明を邪魔することもないＬＥＤ照明灯の管構造を提供することである。
【課題を解決するための手段】
【０００５】
本発明は課題解決の手段として、長尺基板にＬＥＤを複数個配置し、このＬＥＤ基板を内部に収納し、前記ＬＥＤを必要に応じて点灯するＬＥＤ照明灯において、当該照明灯に用いる管の断面構造を外周が円形で、内部のＬＥＤが対応しない側の前記管の肉厚を他より肉厚に構成してなることを特徴とするものである。
【発明の効果】
【０００６】
請求項１記載の発明によれば、長尺な（好ましくは１２００ミリ程度）管であっても使用中に管の途中が撓んでくるようなこともなく、しかもＬＥＤが配置されている基板の反対側が肉厚であるからＬＥＤ照射方向を阻害することもなく、縦振動に対してもすぐに減衰して長期の振動など生じないＬＥＤ照明灯の管構造を提供できる。
【発明を実施するための最良の形態】
【０００７】
本発明は、ＬＥＤ照明灯の管の内部には、主にＬＥＤ素子とダイオードを基板に配した構造で、この基板を例えばポリカーボネイトの管内の中央付近で管の桟に挿入取り付け、ＬＥＤを配した基盤の反対側の管の肉厚を他より厚くすることで長い管が途中で弛むことも無く、照度も確保できる簡単な構造を実現したものである。
【０００８】
以下に、本発明の実施例に係るＬＥＤ照明灯の管構造を図１、図２を参照して詳細に説明する。
【０００９】
本実施例に係る管１は例えばポリカーボネイト製で長さは１２００ミリ程度、外径は３０ミリ程度、肉厚は薄い薄肉部Ｈの小さい方即ちＬＥＤが配置されるＬＥＤ基板２の側は０．９ミリ程度で、肉厚が厚い肉厚部Ｓの方は１，８ミリ程度に選定する。次ぎに管１の中央部分には直径線上に対向して桟３１、３２を形成する。桟３１、３２には図２のＬＥＤ基板２が挿入固定されるもので、ＬＥＤ基板２の下側には点線で示すように複数個のＬＥＤ４１〜４１Ｎが配置される。
【００１０】
即ち管１の内側の肉厚箇所側にはＬＥＤ４１〜４１Ｎは位置せず、管１の肉薄箇所側にＬＥＤ４１〜４１Ｎが位置することになるわけである。之によって、管１の外径を変更せずに丸の状態で管１の強度を増すことができるものである。従って従来の蛍光灯と同様な構造であるから違和感がないものである。
【００１１】
次に前記ＬＥＤ基板２を図２の矢視Ａから桟３１、３２に挿入するとＬＥＤ基板２の或る程度の硬さによって、管１は強化され十分実用に耐える構造となる。従って、長尺な管１であっても肉厚Ｓの形成により途中で弛むことはないものである。
【産業上の利用可能性】
【００１２】
本発明の管構造は十分に強化されたもので実用上に耐えるものである、とともに他に特別な強化手段を必要としないものであるから安価に市場に提供できるものである。
【図面の簡単な説明】
【００１３】
【図１】本発明の実施例を説明するための管の縦断面図である。
【図２】本発明の実施例を説明する為の斜視図である。
【符号の説明】
【００１４】
１          管
２          ＬＥＤ基板
３１，３２  桟
４１〜４Ｎ  ＬＥＤ
Ｓ          肉厚部
Ｈ          肉薄部
【図１】
2010251083.tif 000003
【図２】
2010251083.tif 000004
(57)【要約】【課題】従来の方法では薄箔素子の変形や断線が起こり、また、シリコンの変形や空気の混入などが起こっていた。圧力が収縮率の違う物に均一にかかっていた為である。【解決手段】平面状にマス目を付け、マス目を潰して圧力を分散し収縮を少なくする。この構造により素子への圧力を弱め、シリコンの収縮を抑え空気を抜く事や変形や断線を抑える事が出来る。シリコンにて薄箔を圧着する製造方法を構成している。【選択図】図１
2010251674.tif 000002
【特許請求の範囲】
【請求項１】
薄いシリコンの平面状に溝を付け複数のマス目を作り圧力を逃がす事によりシリコンの収縮を抑え、また素子の動きを抑える事が出来る。マス目は四角、ひし形、三角や丸などマス目の外周に溝を掘る構造により上下の圧力を、マス目を潰して吸収し、前後左右方向への力を溝にて逃しシリコンの収縮を少なくする構造。
この構造により空気の混入無く、また薄箔の素子の変形や断線が無く、薄いシリコンにて、防水、絶縁のマットが出来る。
上記の構造がシリコンにて薄箔を圧着する製造方法である。
【発明の詳細な説明】
【技術分野】
【０００１】本発明はシリコンにて薄箔状の素子を、空気を入れずに、また素子を変形させないで圧着する製造方法に関する。
【背景技術】
【０００２】シリコンにて素子を挟んだ物は既に採用されているがシリコンや素子が変形している。
シリコンにて薄箔を挟む場合、生のシリコンにて挟んで焼く方法や２枚のシリコンを焼き挟んで圧着する方法などがある。
【発明の概要】
【発明が解決しようとする課題】
【０００３】しかしながら、以上の技術によれば、生のシリコンで挟んで焼く場合、素子が薄箔である事でシリコンの動きによる断線や変形、また熱膨張の違いによる素子の変形やシリコンの反りなどが起こる。
焼いたシリコンで圧着する場合（空気を抜く為の圧着）、圧力によるシリコンの収縮により薄箔素子の変形や断線、シリコンの反りなどが起こる。
シリコンと中に挟む素子との収縮率の違いにより両者が変形しやすい状況である。
そこで本発明は、以上のような薄いシリコンの欠点に鑑み、力に対して弱い素子などの変形や空気の混入などがなく、シリコンの変形を抑えながら素子を圧着する製造方法を提供することを課題とする。
【課題を解決する為の手段】
【０００４】上記目的を達成する為に、本発明は（請求項１の構成要件）とで薄いシリコンにて薄箔素子の圧着を構成している。
【発明の効果】
【０００５】以上の説明から明らかなように、本発明にあっては次に列挙する効果が得られる。
（請求項１の構成要件）とで構成されているので空気の混入無く圧着が出来る。
素子やシリコンの変形が抑えられ、中に挟まれる素子の断線などを防ぐ。
シリコンで素子を包み込むため防滴効果が得られる。
【図面の簡単な説明】
【０００６】
【図１】全体図である
【図２】図１の素子の図である。
【図３】断面構造図である。
【図４】各マス目の図
【発明を実施する為の形態】
【０００７】以下本発明の実施の形態を図に基づいて説明
【０００８】図１はシリコン１とシリコン２で素子３を挟んで圧着した全体図である
【０００９】図２は図１で挟み込んである薄箔素子などの図である。
【００１０】図３は断面構造図である。凸面を外側にし挟み込む事によって圧力を逃がす。
【００１１】図４は各マス目の図である。マス目の外周を溝としてマス目を単体化させる事により圧着時にマス目が潰れ均一な圧力が分散される。四角や丸と言った形にこだわらず、マス目の外周に溝がありマス目が単体化する事。
【産業上の利用可能性】
【００１２】本発明は、ヒーターを製造する産業で利用される。【００１３】本発明は、シリコンの産業で利用される。
【符号の説明】
【００１４】１  シリコン
２  シリコン
３  素子
【図１】
2010251674.tif 000003
【図２】
2010251674.tif 000004
【図３】
2010251674.tif 000005
【図４】
2010251674.tif 000006
(57)【要約】【課題】  従来の印画紙に、音声・音響情報を組み入れようとすれば、撮影した画像を印画紙に印刷した後に音響情報を記録再生するモジュールと一体化することになり、印刷された印画紙と該モジュールとを接着剤により一体化する作業が生じることになる。【解決手段】撮影した画像を印刷する前に、あらかじめ紙状の薄型音声機能ユニットを印画紙裏面に接着し、写真用プリンターで印刷可能な厚さに一体化しておき、これを写真用プリンターに設置して画像を印刷しさらに音響情報を記録・再生する。【選択図】  図１
2010266480.tif 000002
【特許請求の範囲】
【請求項１】
写真を印刷できる印画紙と音響情報を記録・再生する電子回路である薄型音声機能ユニットとを非電導的空間で接着し一体化した写真印刷及び音響情報を記録・再生することが可能な複合印画紙。
【発明の詳細な説明】
【技術分野】
【０００１】
本発明は、写真を印刷する印画紙に音響情報を記録再生する音声機能ユニットを組込み、写真を印刷しさらに音響情報を記録再生することができる印画紙に関するものである。
【背景技術】
【０００２】
従来の印画紙には撮影された静止画像を紙面に記録することは可能であるが、音声・音響情報を記録及び再生する機能を持つものは存在していない。
【発明の概要】
【発明が解決しようとする課題】
【０００３】
従来の印画紙に、音声・音響情報を組み入れようとすれば、撮影した画像を印画紙に印刷した後に音響情報を記録再生するモジュールと一体化することになり、印刷された印画紙と該モジュールとを接着剤により一体化する作業が生じることになる。
【課題を解決するための手段】
【０００４】
前記の課題を解決するために、本発明の印画紙は、撮影した画像を印刷する前に、あらかじめ紙状の薄型音声機能ユニットを印画紙裏面に接着し、写真用プリンターで印刷可能な厚さに一体化しておき、これを写真用プリンターに設置して画像を印刷しさらに音響情報を記録・再生する。
【発明の効果】
【０００５】
本発明によれば、使用者は写真画像を印刷した後に、薄型音声機能ユニットとを一体化する作業が不要になり、また専用の接着剤、接着冶工具も不要である。また使用者が自らの手で任意の写真画像と音響情報を記録することが可能である。
【発明を実施するための最良の形態】
【０００６】
発明の実施の形態を実施例に基づき図面を参照して説明する。
図1において、写真を印刷する前の印画紙１に紙状薄型の音声機能ユニット２を接着材４により貼り付け、さらに紙状のカバー３を貼りつける。
【０００７】
図２において、写真を印刷する前の印画紙１の裏面に音声モジュール５、録音スイッチ６、再生スイッチ７、スピーカー部８、板状の電池９及びこれらを接続する導体１０からなる音声機能ユニット２を接着剤４により貼りつける。
【０００８】
さらに、図３における紙状のカバー３を貼りつける。マイクロフォン・スピーカーに対応する位置には音を通過させるための孔１１をあける。
【図面の簡単な説明】
【０００９】
【図１】本発明による印画紙の実施例を示す断面図である。
【図２】音声機能ユニットの取り付け部の実施例を示す平面図である。
【図３】写真の裏面に貼り付ける紙の実施例を示す平面図である。
【符号の説明】
【００１０】
１  写真を印刷する前の印画紙
２  音声出力ユニット
３  紙状のカバー
４  接着剤
５  音声モジュール
６  再生スイッチ
７  録音スイッチ
８  スピーカー部
９  板状の電池
１０  導体
１１  孔
【図１】
2010266480.tif 000003
【図２】
2010266480.tif 000004
【図３】
2010266480.tif 000005
(57)【要約】【課題】  従来の音声教材による外国語ヒアリング学習では逐語的なヒアリングになりがちであり、学習効率が上がらなかった。【解決手段】  本発明の音声教材は、文章を構成する一連の語句において、一つの語句の音声が終わらないうちに、並行して次の語句の音声を出すようにしたものである。学習者は複数の語句の音声の重なったものを聞くことで、必然的に、まとめて聞き・まとめて認識することの直接的なトレーニングを行える。また、ステレオ音源により、語句ごとに音声の聞こえてくる方向を違えることで、語句が聞き分けられやすくなる。【選択図】図４
2010266834.tif 000002
【特許請求の範囲】
【請求項１】
文章を構成する一連の語句において、一つの語句の音声が終わらないうちに、並行して次の語句の音声を出すことを特徴とする外国語ヒアリング音声教材。
【請求項２】
ステレオ音源により、語句ごとに音声の聞こえてくる方向を違えることを特徴とする請求項１の外国語ヒアリング音声教材。
【発明の詳細な説明】
【技術分野】
【０００１】  本発明は、外国語ヒアリング学習の音声教材に関する。
【背景技術】
【０００２】  言葉を聞き取るという行為は、耳で音を『聞く』過程と、それに続いて脳でその音に対応する言葉として『認識する』過程で構成されると考えられる（図１）。音声は語句ごとに順次聞こえてくる（図２）ので、外国語の学習を始めたばかりの頃は、一単語ずつ逐語的に、聞く・認識する、聞く・認識する、を繰り返すこと（以下、逐語的ヒアリングとする）をしてしまいがちであるが、通常速度の外国語を聞き取るためには、一単語ずつではなく、文章を『まとめて聞き・まとめて認識する』ことが必要となる。【０００３】  従来から語学学習においては、速度変更可能な再生装置を用いて通常とは異なる速度で外国語音声を聞くことが行われてきており、それを発展させた音声教材やシステムもあるが、しかしながら、これらの主な効果は逐語的ヒアリングの向上である。【０００４】  例えば、通常より遅い速度で外国語音声を聞くタイプの音声教材は、確実に『聞き』、確実に『認識する』ことを行うためのものであり、速度に余裕があることから、逐語的ヒアリングの癖をつけてしまいがちである。【０００５】  また、通常より速い速度で外国語音声を聞くタイプの音声教材は、早い速度でのヒアリングに慣れることで、通常の速度の外国語音声を聞き取りやすくすることが主な効果であり、逐語的ヒアリングを高速で行うトレーニングになりがちである。さらに、速くするほど『聞く』こと自体が難しくなっていくという欠点もある。【０００６】  また、近年、コンピューターを活用した学習システムが提案されており、文章全体を把握することを志向した学習システムも提案されている（例えば、特許文献１参照）。しかし、そこで用いられている音声は、従来のものと同様に語句の音声が順次聞こえてくるものであり、従来の音声教材が本質的に持っている逐語的ヒアリングの傾向は変わらない。
【先行技術文献】
【特許文献】
【０００７】
【特許文献１】  特開２００７−２４８７５０号公報
【発明の概要】
【発明が解決しようとする課題】
【０００８】  従来の音声教材による外国語ヒアリング学習は逐語的ヒアリングになりがちであり、学習効率が上がらなかった。【０００９】  本発明は、文章をまとめて聞き・まとめて認識する力を直接的に高め、効果的にヒアリング力を向上させることを目的とする。
【課題を解決するための手段】
【００１０】  上記目的を達成するため、本願の第１発明の外国語ヒアリング音声教材は、文章を構成する一連の語句において、一つの語句の音声が終わらないうちに、並行して次の語句の音声を出すようにしたものである（図３）。【００１１】  本願の第２発明の外国語ヒアリング音声教材は、本願の第１発明において、ステレオ音源により、語句ごとに音声の聞こえてくる方向を違えるようにしたものである（図４）。
【作用】
【００１２】  本願の第１発明によれば、学習者は複数の語句の音声の重なったものを聞くので、それは必然的に、まとめて聞き・まとめて認識することの直接的なトレーニングとなる。
【００１３】  語句間の重なりが多いほど高い効果を期待できるが、重なりの多い音声が同一方向から聞こえてくると、音声が混じってしまい語句として聞き取ることが難しくなる。
【００１４】  第２発明によれば、語句ごとに音声の聞こえてくる方向が異なることで、語句が聞き分けやすくなるので、語句間の重なりを多くすることが可能となる。
【発明の効果】
【００１５】  第１の発明によれば、直接的に、まとめて聞き・まとめて認識する力を高められるので、効果的にヒアリング力を向上させることができる。また、本発明は音声のスピードを問わないので、幅広いレベルに対応することができる。
【００１６】  第２の発明によれば、語句間の重なりを多くすることができ、より効果的にヒアリング力を向上させることが可能となる。また、主語、動詞等または主節、従属節等の構文にあわせて聞こえてくる方向を変えることで、構文を意識づける効果も期待できる。
【図面の簡単な説明】
【００１７】
【図１】  言葉の聞き取りと認識の過程を示す図である。
【図２】  通常の音声を示す図である。
【図３】  一連の語句の音声が重なっている音声を示す図である。
【図４】  語句ごとの音声が異なった方向から聞こえてくる音声を示す図である。
【図５】  語句ごとの音声の聞こえてくる方向に構文を考慮した音声を示す図である。
【発明を実施するための形態】
【００１８】  音声合成はコンピューター等を用いて行う。予め合成した音声をコンパクトディスク等の媒体に録音しておき、ヒアリング学習時にそれを聞く。もしくは、音声合成のためのコンピュータープログラムを作成し、ヒアリング学習時にそれを用いる。
【実施例】
【００１９】  単純な文で、聞こえてくる方向が大きく異なる場合は、６０〜９０％程度語句を重ねる。聞こえてくる方向があまり異ならない場合は、３０〜５０％程度重ねる。聞こえてくる方向は語句の順に左から右に変化させる。【００２０】  複文の場合は、主節と従属節の間で聞こえてくる方向を大きく違え、節間での重なりを多くする。それぞれの節中の語句間では、聞こえてくる方向をあまり違えず、語句間の音声の重なりを少なめにする（図５）。
【図１】
2010266834.tif 000003
【図２】
2010266834.tif 000004
【図３】
2010266834.tif 000005
【図４】
2010266834.tif 000006
【図５】
2010266834.tif 000007
(57)【要約】      （修正有）【課題】辞書や図鑑などに簡単に取りつけておけて、細かい字など読みづらいときに、すぐに取り外して使え小さなものなので、いろいろな本に常備しておくことが可能な携帯虫メガネの提供。【解決手段】携帯虫メガネは、板状虫メガネ１及び２で直角三角形を作りこれを重ねて伸縮性接着テープ３で直角を挟む辺の部分を外方から包んで貼り合わせ、しおり形状に形成する。【選択図】図２
2010266831.tif 000002
【特許請求の範囲】
【請求項１】
板状の虫メガネで直角三角形を作りこれを重合して伸縮性テープで直角を挟む二辺の部分を外方から包んで貼り合わせた三角形のしおり状虫メガネ。
【発明の詳細な説明】
【技術分野】
【０００１】本発明は辞書など細かい字で読みにくい本などに簡単につけておくことができ、軽量でコンパクトな為に、図鑑など何冊かの各々につけておくことができ、虫メガネを探したりする手間がはぶける上、板虫メガネを、二枚重ねることにより、より大きく見ることができる。
【背景技術】
【０００２】従来本にはさんでおけるような、名刺状の虫メガネがある。
【発明の開示】
【発明が解決しようとする課題】
【０００３】以上に述べた、従来の携帯虫メガネは落ちやすく、ケースなどがついた辞書や図鑑などにはつっかえやすくて不向きであった。
【課題を解決するための手段】
【０００４】本発明は、このような、従来の虫メガネが持っていた欠点を解決する為に考えられた物であり、辞書などの表紙や、頁の角に簡単につけられ、落ちにくい。ある時は、しおりとしても利用でき軽量で携帯しやすく、コンパクトなわりに倍率が高いので、利用価値がある。
【課題を解決する為の手段】
【０００５】本発明は上記目的を達成するために素材を、軽さを保てる丈夫な、薄い、しかも透明度の高い板虫メガネとし、携帯に便利、そして、倍率も高く透明さもある。利便性を追求したものである。本の角につけられコンパクトで伸縮性のあるテープで２枚を貼り合わせてあるので、丁度よく頁をはさみ落ちにくく、接着面がわずかなので取りはずす時は簡単に取り扱える。
【発明の効果】
【０００６】コンパクトで軽量、簡単なとりつけの為にいろいろな辞書や図鑑にそれぞれ着けておくことができ、その都度虫メガネを探したりせずに簡単に細かい字や図を見ることができる。落ちることも少なくてブックカバーもスムーズに使えカバンなどで持ち歩く時も、ひっかかって邪魔になることもない。出版社や書店などのプレゼントとして使ったりできる。
【発明を実施するための最良の形態】
【０００７】以下本発明の実施の形態を図１〜図４に基づいて説明する。【０００８】図１において直角三角形の第１の板状虫メガネと第２の板状虫メガネをピッタリ２枚重ね合わせたものと伸縮性接着テープで直角をはさんだ２辺のどちらも貼り合せる。【０００９】図２に於て、ピッタリ重ね合わせた第１の板状虫メガネ１と第２の板状虫メガネ２の外方を伸縮性接着テープ３で包んで貼り合わせ、接着テープで貼り合わせと、自然に少しのすき間ができ、そこから覗く、接着部分がページの側面にわずかに着く為、図３のようにページの角にこの三角虫メガネを装着するとピタッと固定する。
【産業上の利用可能性】本発明は三角の形が変わっていることに加え、本の表紙などの角に、簡単に取りつけておける為、辞書の新刊発売や増刷の時などのプレゼントグッズになる。
【図面の簡単な説明】
【００１０】
【図１】本発明の実施例の平面図
【図２】同上の断面図
【図３】同上の使用状態を示す平面図
【符号の説明】
【００１１】  １．第１の板状虫メガネ
２．第２の”
３．伸縮性テープ
【図１】
2010266831.tif 000003
【図２】
2010266831.tif 000004
【図３】
2010266831.tif 000005
(57)【要約】      （修正有）【課題】小型にしても、音量と音が届く範囲を狭めずに、具体的な言葉等で人声音等とブザー音を大音響で音量・音質をそろえてバランスよく発生させるブザーを提供する。【解決手段】ブザーエレメント１と音声モジュール２を使用することで、ブザー音と人声音等の音圧レベルの差による、録音した人声音等の再生音とブザー音の音量の差を、スピーカーとして使用するブザーエレメント１が低い周波数を再生しにくいという弱点を逆利用する。【選択図】図１
2010266833.tif 000002
【特許請求の範囲】
【請求項１】
ブザーエレメントと音声モジュールを利用して、小型で大音響を実現し、ブザー音と人声音等を交互に大音響で知らせるブザー発声機。
【発明の詳細な説明】
【技術分野】
【０００１】  本発明は、小型大音響人声音等発声機能付ブザーに関する。
【背景技術】
【０００２】  従来の小型のブザーは、広範囲に大音響で危険等を知らせるには不十分であり、さらに大音響で人声音等とブザーの組合せたものは見当たらなかった
【発明の概要】
【発明が解決しようとする課題】
【０００３】  従来の小型のブザーは小型ゆえに音量も小さく、音が届く範囲も狭かった。また、本件は人声音等（例えば、「助けて」というような）とブザー音を大音響で各々交互に、音量をそろえて出音させることができなかった。【０００４】  本発明は、このような従来の小型ブザーが有していた問題を解決しようとするものであり、大音量で音が届く範囲を広げ、人声音等とブザー音を交互に具体的な言葉等で発生させることを目的とするものである。
【課題を解決するための手段】
【０００５】  広範囲にブザー音や人声音等が届くように、ブザーエレメントの音圧レベルを人声音の音圧レベルと調整し、両者の音量・音質の差を聴感上バランスの取れた音量と明瞭度を得ることで、問題を解決した。【０００６】  ブザーエレメントは、ブザーを鳴らすには従来技術で可能であるが、人声音を大音響で高明瞭度の高い音質で鳴らすことに問題があった。この問題を、音声検知回路を使用しブザー音と人声音をバランスよく出力することで解決した。
【発明の効果】
【０００８】  上記により、小型で大音量を可能にし、ブザー音と人声音等がはっきりした声で聞こえるクリアーな音質を実現した人声音等発生機能付小型大音量ブザーであり、人声音が入ることにより、何をブザーで知らせたいかをより強く周囲の人々に伝達することができる。フィールドテストでは、音が届く実用範囲約１００メートルを確認した。
【図面の簡単な説明】
【０００８】
【図１】ブザー側面断面図
【図２】ブザー回路図
【発明を実施するための形態】
【０００９】  以下、本発明の実施の形態を図１、図２に基づいて説明する。
【００１０】  ブザーエレメント１、音声モジュール２をブザーの形に合わせ配置する。図１は携帯用防犯ブザー用として配置したものである。
【００１１】  図２は回路図である。大音量ブザー音と人声音等を切り替えるには、音声モジュール４の音声出力を検知して動作する音声検知回路５を用いる。
【００１２】  音声モジュール４への録音は、最初に大音量ブザー音の長さ分の無音節部分を設けて、その間に大音量ブザー音が送出されるようにする。それに続いて最適な間合いをとって人声音等を録音する。
【００１３】  スピーカーとして使用するピエゾエレメントが低い周波数を再生しにくい弱点を逆利用し、ブザー音と人声音等の間に低周波音を入れてブザー音と人声音の切り替えを制御する。
【産業上の利用可能性】
【００１３】  人声音等発音機能は音声発声機能モジュールにより、用途別に音声等を換えることが可能であり携帯用防犯ブザーの「助けて」や火災報知機の「火事だ」等用途別に幅広く、人声音等発生機能付小型大音量ブザーとして使用できるものである。
【符号の説明】
【００１４】〔図１〕
１  ブザーエレメント
２  音声モジュール
〔図２〕
３  ブザーエレメント
４  音声モジュール
５  音声検知回路
【図１】
2010266833.tif 000003
【図２】
2010266833.tif 000004
(57)【要約】  【課題】  賞味期限・消費期限などの日付の印字や製造番号・ロット番号などの印字は商業印刷で90％以上を占める黒色の印字色と可視光域の環境下での印字検査が行われており、依然として印字のもれやかすれなどの印字異常や不良を検知するには不十分である。また、出荷製品の包装の素材・色・形の多種多様化と製造工程の自動化機械の高速化も印字異常を検知しないまま見落としてしまう原因となっている。  【解決手段】  印字色に黒色以外の分光上の特性がある青、緑、赤、紫などのインクを用いて、印字色と包装色との間の反射率の差、透過率の差が最大の波長帯もしくはそれに準ずる波長帯やその他の効果的な波長帯を特定することにより、最適な明暗差・輝度差が得られる波長の照明を照射して印字異常の検知を確実にする。【選択図】  図１
2010266268.tif 000002
【特許請求の範囲】
【請求項１】
賞味期限・消費期限などの日付の印字や製造番号・ロット番号などの印字色に黒色以外の分光上の特性がある青、緑、赤、紫などのインクを用いて、その特性に応じた波長の照明を照射して印字異常を検知する装置。
【請求項２】
請求項１において、印字色と包装色との間の反射率の差、透過率の差が最大の波長帯もしくはそれに準ずる波長帯やその他の効果的な波長帯を特定することにより最適な明暗差・輝度差の状態を作成して印字異常を検知する装置。
【発明の詳細な説明】
【技術分野】
【０００１】
本発明は、賞味期限・消費期限などの日付の印字や製造番号・ロット番号などの印字が必要な製品の印字異常の検知方法に関するものである。
【背景技術】
【０００２】
製造業における出荷前の印字検査工程において、印字異常を検知する方法は二通り存在する。一つは目視による検知である。目視は人間の判断に左右され人それぞれの基準の差異があり、確実性に欠け、高速な工程においては目視で印字異常を検知することは困難である。二つめは画像による検知である。ＣＣＤカメラで印字部分を撮影し、画像センサーで瞬時に適正か否かの判断を行うものである。これは撮影された画像の電子データと適正な印刷用イメージデータを画像センサーで比較する方法で、印刷用イメージデータを構成しているドットと撮影された電子データのドットを比較することによって印字異常を検知する技術が提案されている。
【先行技術文献】
【特許文献】
【０００３】
【特許文献１】特開２００３−０５４０９５
【発明の概要】
【発明が解決しようとする課題】
【０００４】
しかしながら、以上の技術は商業印刷で90％以上を占める黒色の印字色と可視光域の環境下での印字検査が行われており、依然として印字のもれやかすれなどの印字異常や不良を検知するには不十分である。また、出荷製品の包装の素材・色・形の多種多様化と製造工程の自動化機械の高速化も印字異常を検知しないまま見落としてしまう原因となっている。
そこで、この発明は、印字異常の検知精度を確実にする装置を提供することを課題とする。
【課題を解決するための手段】
【０００５】
以上の課題を解決するために、第一発明は、印字色に黒色以外のインクの色、青、緑、赤、紫などを用いることである。その利点は分光上の特性があることである。黒色はほとんどの光の波長に対して反射せず吸収してしまうために黒として認識される。青、緑、赤、紫などは各々の色の光の波長を反射し、他の波長は吸収もしくは透過するという特性を持ち、それぞれの色として認識される。黒色以外の色を選択することにより印字色と背景色、つまり包装色との相関関係を作り出すことができる。
また、第二発明は、第一発明によって作り出した色の相関関係から最適な照射照明を設定することである。印字色と背景色の反射率もしくは透過率を測定し、二つ以上の色の相関関係から反射率の差、透過率の差が最大の波長帯もしくはそれに準ずる波長帯やその他の効果的な波長帯を特定し、その波長帯に絞った照射照明を設定する。
【発明の効果】
【０００６】
第一発明、または第二発明によれば、設定した波長帯の照明を被検査物である出荷製品の印字部分のエリアに外光を遮断して照射すると、最適な明暗差・輝度差の状態がＣＣＤカメラで撮影でき、撮影した画像データを画像センサーに送ることができるため、画像処理の精度が上がり印字異常の検知を確実にすることが可能となる。
【図面の簡単な説明】
【０００７】
【図１】図１は、この発明の一実施形態を示す側面図である。
【発明を実施するための形態】
【０００８】
この発明の一実施形態を、図１に示す。
波長帯を絞った照明１と３を被検査物である出荷製品５に照射する。この際の遮光板４と６で外光を遮断する。照射結果はＣＣＤカメラ２で撮影し、撮影した画像は画像センサーに送る。
【０００９】
さらに詳述すれば、出荷製品５はベルトコンベアなどから次々と搬送されてくる。ＣＣＤカメラ２の真下にきた時点で波長帯を絞った照明１と３を出荷製品５に照射する。４と６の遮光板で外光は遮断されているので、照射された波長帯の光は外光と混じることなく出荷製品５に直進し、印字部分の色を反射し、印字以外の部分は吸収もしくは透過する。反射した波長の色をＣＣＤカメラ２で撮影する。撮影した画像データは最適な明暗差・輝度差の状態であり、瞬時に画像センサーに送られる。
【００１０】
この実施形態で取得し、画像センサーへ送る画像はＣＣＤカメラ２が白黒仕様の場合は、２５６階調のグレースケールで処理できる。しきい値補正などのコントラスト補正を施すことでより確実に検知処理ができる。ＣＣＤカメラ２がカラー仕様の場合、照射結果の印字色をあらかじめ測色して、ＲＧＢ値、ＣＭＹＫ値、ＸＹＺ値、ＬＡＢ値などの数値で登録し、近似色の範囲を設定しておけば、その数値範囲の色にコントラスト補正等の処理を施すことにより検知の精度が上がる。また、印字以外の背景色をあらかじめ測色して前述同様に処理すれば、その数値範囲を白色などの色に一括変換することにより、印字部分との対比が顕著になり検知処理の精度が上がる。
【００１１】
出荷製品５の包装色が透明色の場合は、ＣＣＤカメラ２を５の真下に設置する。この場合、印字色と包装色の透過率で設定された照射照明１と３を照射しＣＣＤカメラ２で撮影すると同様の結果が得られる。
【符号の説明】
【００１２】
１  照射照明
２  ＣＣＤカメラ
３  照射照明
４  遮光板
５  出荷製品
６  遮光板
【図１】
2010266268.tif 000003